(57)【特許請求の範囲】
【請求項１】
冷却脂肪分解装置を利用した冷却脂肪分解施術に使用される凍傷防止パッドであって、
繊維材質のベース部材と、
前記ベース部材に重ねて配置される樹脂材質の一つ以上の防水部材と、
前記ベース部材と前記防水部材とが重なった状態で互いに結合するように返し縫いされて形成される一つ以上の縫製部と、
を含み、
前記一つ以上の縫製部は、
前記防水部材の縁に返し縫いされて形成される縁縫製部と、
前記防水部材の中心部に返し縫いされて形成される中心縫製部と、
を含む冷却脂肪分解施術用凍傷防止パッド。
【請求項２】
前記縁縫製部は、前記防水部材の４個の角にそれぞれ返し縫いされて形成される角縫製ラインを含む請求項１に記載の冷却脂肪分解施術用凍傷防止パッド。
【請求項３】
前記角縫製ラインは、前記防水部材の前記角を形成する２つの辺にその両端がかかる斜線形状を有する請求項２に記載の冷却脂肪分解施術用凍傷防止パッド。
【請求項４】
前記角縫製ラインは、前記防水部材の前記角を形成する２つの辺にその両端がかかる「Ｌ」字形状を有する請求項２に記載の冷却脂肪分解施術用凍傷防止パッド。
【請求項５】
前記角縫製ラインは、前記防水部材の前記角を形成する２つの辺にその両端がかかる円弧形状を有する請求項２に記載の冷却脂肪分解施術用凍傷防止パッド。
【請求項６】
前記縁縫製部は、前記防水部材の中で相対的に長い両側辺にそれぞれその長さ方向に沿って返し縫いされて形成される長辺縫製ラインを含む請求項１に記載の冷却脂肪分解施術用凍傷防止パッド。
【請求項７】
前記中心縫製部は、前記防水部材の中心部に十字形状の縫製ラインを有する請求項１に記載の冷却脂肪分解施術用凍傷防止パッド。
【請求項８】
前記中心縫製部は、前記防水部材の中心部に四角形状の縫製ラインを有する請求項１に記載の冷却脂肪分解施術用凍傷防止パッド。
【請求項９】
前記中心縫製部は、前記防水部材の中心部に円形状の縫製ラインを有する請求項１に記載の冷却脂肪分解施術用凍傷防止パッド。
【請求項１０】
前記ベース部材及び前記防水部材のそれぞれは、水平方向と垂直方向の両方に伸縮可能である請求項１に記載の冷却脂肪分解施術用凍傷防止パッド。
【請求項１１】
前記ベース部材は、前記防水部材よりも大きく伸縮可能である、請求項１０に記載の冷却脂肪分解施術用凍傷防止パッド。
【請求項１２】
前記ベース部材には凍結防止剤が含浸される請求項１に記載の冷却脂肪分解施術用凍傷防止パッド。
【請求項１３】
前記防水部材の外側面には正規品識別コードが形成される請求項１に記載の冷却脂肪分解施術用凍傷防止パッド。
【請求項１４】
前記正規品識別コードは、前記防水部材の中で前記冷却脂肪分解装置のハンドピースが位置する部分に形成され、前記ハンドピースに具備された感知部によって認識される請求項１３に記載の冷却脂肪分解施術用凍傷防止パッド。
【請求項１５】
前記一つ以上の防水部材は、
前記ベース部材に重ねて配置される樹脂材質の第１防水部材と、
前記第１防水部材に重ねて配置される樹脂材質の第２防水部材と、を含み、
前記一つ以上の縫製部は、前記ベース部材と前記第１防水部材と前記第２防水部材とが重なった状態で互いに結合するように返し縫いされて形成される請求項１に記載の冷却脂肪分解施術用凍傷防止パッド。
【請求項１６】
前記第１防水部材には第１通気孔が形成され、前記第２防水部材には前記第１通気孔に重畳しないように第２通気孔が形成される請求項１５に記載の冷却脂肪分解施術用凍傷防止パッド。
【請求項１７】
前記第１通気孔と前記第２通気孔とが重畳しないように前記第１及び第２防水部材には位置セッティング部が形成される請求項１６に記載の冷却脂肪分解施術用凍傷防止パッド。
【請求項１８】
前記位置セッティング部は、
前記第１防水部材に形成され、前記第１防水部材の中心線を基準として一側に形成される第１位置識別ラインと、
前記第２防水部材に形成され、前記第１防水部材の中心線を基準として他側に配置されるように形成される第２位置識別ラインとを含み、
前記第１位置識別ラインと前記第２位置識別ラインとが互いに連結されるように前記第１及び第２防水部材を重ねる場合、前記第１及び第２通気孔の重畳が防止される請求項１７に記載の冷却脂肪分解施術用凍傷防止パッド。
【請求項１９】
前記第１及び第２位置識別ラインは互いに連結される場合、前記冷却脂肪分解装置のハンドピースが位置する部分となる請求項１８に記載の冷却脂肪分解施術用凍傷防止パッド。                                                                              
【発明の詳細な説明】
【技術分野】
【０００１】
本発明は、冷却脂肪分解施術用凍傷防止パッドに関する。
【背景技術】
【０００２】
一般的に、冷却脂肪分解施術は、ダイエット市場が繁盛することにより運動以外の方法で脂肪を分解するための施術の一つとして、皮下脂肪を減少させようとする部位に強い空気圧力を利用して肉を吸いこんだ後、冷却板の温度が零下まで下がり、約１時間の間に表皮下の脂肪を冷却させて分解する施術である。
【０００３】
この時、冷却板の温度は約−９°Ｃであり、皮下脂肪だけでなく、施術部位の肌まで冷却させて凍傷または怪死などの副作用が発生する可能性があるため、施術部位に液状の凍結防止剤が含まれた凍傷防止パッドを付着した状態で施術が行われている。
【０００４】
しかし、冷却脂肪分解装置のハンドピースを皮下脂肪を減少させようとする部位につけて陰圧（真空）を形成する場合、凍傷防止パッドに含まれる凍結防止剤がハンドピースに吸い込まれて本体に流入され、冷却脂肪分解装置に故障を誘発するという問題がある。
【０００５】
このような問題を解決するために、従来の技術として特許文献１に開示された凍傷防止用パッド構造は、図１に示すように、凍結防止ゲルが塗布された第１パッド２１０と、第１パッド２１０に塗布された凍結防止ゲルを固定させるために、第１パッド２１０に接合されるフィルム２３０とを含む技術構成を提供する。
【０００６】
しかし、従来の凍傷防止用パッド構造は、冷却脂肪分解装置（図示せず）のハンドピース（図示せず）を通じて陰圧が形成される過程でフィルム２３０がハンドピース側に吸い込まれフィルム２３０が破れるという問題がある。
【０００７】
また、従来の凍傷防止用パッド構造は、接着剤が不織布材質の第１パッド２１０の中でフィルム２３０が接触する面のみに塗布されるので、初期陰圧が発生する間にフィルム２３０が接着された面と残り部分とに第１パッド２１０が分離するという問題がある。
【０００８】
また、従来の凍傷防止用パッド構造は、第１パッド２１０とフィルム２３０とを重ねる前に接着剤を第１パッド２１０に先ず塗布してから重ねなければならないので、重ねる過程で薄いビニール材質のフィルム２００が飛ばされたり模様が崩れて望まない位置で接着剤に付着するなど、接合過程が煩わしくかつ製品不良率が高くなるという問題がある。
【先行技術文献】
【特許文献】
【０００９】
【特許文献１】韓国公開実用新案第２０−２０１６−０００１０６３号公報
【発明の概要】
【発明が解決しようとする課題】
【００１０】
本発明の技術的課題は、陰圧が形成される間に防水部材が破れたり防水部材とベース部材とが互いに分離することを防止することができ、防水部材をベース部材に不良なく容易に結合させることができる冷却脂肪分解施術用凍傷防止パッドを提供することにある。
【課題を解決するための手段】
【００１１】
上記目的を達成するために、本発明の実施例による冷却脂肪分解施術用凍傷防止パッドは、冷却脂肪分解装置を利用した冷却脂肪分解施術に使用される凍傷防止パッドであって、繊維材質のベース部材と、前記ベース部材に重なって置かれる樹脂材質の一つ以上の防水部材と、前記ベース部材と前記防水部材とが重なった状態で互いに結合するように返し縫いされて形成される一つ以上の縫製部とを含む。
【００１２】
前記一つ以上の縫製部は、前記防水部材の縁に返し縫いされて形成される縁縫製部を含むことができる。
【００１３】
前記縁縫製部は、前記防水部材の４個の角にそれぞれ返し縫いされて形成されるそれぞれの角縫製ラインを含むことができる。
【００１４】
一例として、前記角縫製ラインは、前記防水部材の前記角を基準として両辺に両端がかけられる斜線形状を有することができる。
【００１５】
他の例において、前記角縫製ラインは、前記防水部材の前記角を基準として両辺に両端がかけられる「Ｌ」字形状を有することができる。
【００１６】
また他の例において、前記角縫製ラインは、前記防水部材の前記角を基準として両辺に両端がかけられる円弧形状を有することができる。
【００１７】
他の例として、前記縁縫製部は、前記防水部材の中で相対的に長い両側辺にそれぞれその長さ方向に長く返し縫いされて形成されるそれぞれの長辺縫製ラインを含むことができる。
【００１８】
前記一つ以上の縫製部は、前記防水部材の中心部に返し縫いされて形成される中心縫製部をさらに含むことができる。
【００１９】
一例として、前記中心縫製部は、前記防水部材の中心部に十字形状の縫製ラインを有することができる。
【００２０】
他の例として、前記中心縫製部は、前記防水部材の中心部に四角形状の縫製ラインを有することができる。
【００２１】
また他の例として、前記中心縫製部は、前記防水部材の中心部に円形状の縫製ラインを有することができる。
【００２２】
前記ベース部材及び前記防水部材のそれぞれは、水平方向と垂直方向の両方に伸縮可能とできる。
【００２３】
前記ベース部材は、前記防水部材より大きい延伸率を有することができる。
【００２４】
前記ベース部材には凍結防止剤が含浸されることができる。
【００２５】
前記防水部材の外側面には正常品識別コードが形成されることができる。
【００２６】
前記正常品識別コードは、前記防水部材の中で前記冷却脂肪分解装置のハンドピースが位置する部分に形成されることができ、前記ハンドピースに具備された感知部によって認識されることができる。
【００２７】
前記一つ以上の防水部材は、前記ベース部材に重なって置かれる樹脂材質の第１防水部材と、前記第１防水部材に重なって置かれる樹脂材質の第２防水部材とを含むことができ、前記一つ以上の縫製部は、前記ベース部材と前記第１防水部材と前記第２防水部材とが重なった状態で互いに結合するように返し縫いされて形成されることができる。
【００２８】
前記第１防水部材には第１通気孔が形成されることができ、前記第２防水部材には前記第１通気孔に重畳しないように第２通気孔が形成されることができる。
【００２９】
前記第１通気孔と前記第２通気孔とが重畳しないように前記第１及び第２防水部材には位置セッティング部が形成されることができる。
【００３０】
前記位置セッティング部は、前記第１防水部材に形成され、前記第１防水部材の中心線を基準として一側に形成される第１位置識別ラインと、前記第２防水部材に形成され、前記第１防水部材の中心線を基準として他側に置かれるように形成される第２位置識別ラインとを含むことができ、前記第１位置識別ラインと前記第２位置識別ラインとが互いに連結されるように前記第１及び第２防水部材を重ねる場合、前記第１及び第２通気孔の重畳が防止されることができる。
【００３１】
前記第１及び第２位置識別ラインは互いに連結される場合、前記冷却脂肪分解装置のハンドピースが位置する部分となることができる。
【発明の効果】
【００３２】
以上のように、本発明の実施例による冷却脂肪分解施術用凍傷防止パッドは、次のような効果を有する。
【００３３】
本発明の実施例によると、ベース部材と、一つ以上の防水部材と、一つ以上の縫製部とを含み、一つ以上の縫製部は、ベース部材と防水部材とが重なった状態で互いに結合するように返し縫いされて形成される技術構成を提供するので、返し縫いを通じて長い縫製ラインを形成でき、冷却脂肪分解装置のハンドピースを通じて陰圧が形成される過程で、防水部材の中で縫製ラインが配置された部分に陰圧による荷重が集中しても、従来の技術と異なり防水部材の破れを防止することができる。
【００３４】
本発明の実施例によると、返し縫いを通じた場合、防水部材のハンドピース接触面でベース部材の肌接触面まで連結されるため、ハンドピースで発生する陰圧によって防水部材がハンドピースに吸い込まれると同時にベース部材も吸い込むことができ、陰圧形成初期に防水部材とベース部材間で分離されていた従来技術の問題の発生を防止することができる。
【００３５】
また、本発明の実施例によると、重なった状態で返し縫いが行われる技術構成を有するので、返し縫い過程で防水部材の位置がベース部材から外れることなく、従来の技術と異なり、防水部材とベース部材間の結合を容易かつ正確に行うことができ、望まない位置に結合されるなどの製品不良を防止することができる。
【図面の簡単な説明】
【００３６】
【図１】従来の凍傷防止用パッド構造を概略的に示す図である。
【図２】本発明の第１実施例による冷却脂肪分解施術用凍傷防止パッドを概略的に示す斜視図である。
【図３】図２の冷却脂肪分解施術用凍傷防止パッドを上から見た図である。
【図４】図２の冷却脂肪分解施術用凍傷防止パッドが伸張された状態を概略的に示す図である。
【図５】図２の冷却脂肪分解施術用凍傷防止パッドに正常品識別コードが印刷された状態を概略的に示す図である。
【図６】本発明の第２実施例による冷却脂肪分解施術用凍傷防止パッドを概略的に示す図である。
【図７】本発明の第３実施例による冷却脂肪分解施術用凍傷防止パッドを概略的に示す図である。
【図８】本発明の第４実施例による冷却脂肪分解施術用凍傷防止パッドを概略的に示す図である。
【図９】本発明の第５実施例による冷却脂肪分解施術用凍傷防止パッドを概略的に示す図である。
【図１０】本発明の第６実施例による冷却脂肪分解施術用凍傷防止パッドを概略的に示す図である。
【図１１】本発明の第７実施例による冷却脂肪分解施術用凍傷防止パッドを概略的に示す斜視図である。
【図１２】図１１の冷却脂肪分解施術用凍傷防止パッドの中で第１及び第２防水パッドが重なる過程を概略的に示す図である。
【発明を実施するための形態】
【００３７】
本明細書及び請求の範囲に使用された用語や単語は、通常であるか辞書的な意味に限定して解釈されてはならず、発明者は自分の発明を最も最善の方法で説明するために用語の概念を適切に定義することができるという原則に即して、本発明の技術的思想に符合する意味と概念で解釈されなければならない。
【００３８】
従って、本明細書に記載された実施例と図面に図示された構成は、本発明の最も好ましい実施例に過ぎず、本発明の技術的思想を全て代弁するものではないので、本出願時点においてこれらに代替できる多様な均等物と変形例があり得ることを理解しなければならない。
【００３９】
以下、添付の図面を参考として本発明の実施例について本発明が属する技術分野で通常の知識を持った者が容易に実施できるように詳しく説明する。しかし、本発明は様々な異なる形態で実現でき、ここで説明する実施例に限定されない。
【００４０】
図２は、本発明の第１実施例による冷却脂肪分解施術用凍傷防止パッドを概略的に示す斜視図であり、図３は、図２の冷却脂肪分解施術用凍傷防止パッドを上から見た図である。
【００４１】
図４は、図２の冷却脂肪分解施術用凍傷防止パッドが伸張された状態を概略的に示す図であり、図５は、図２の冷却脂肪分解施術用凍傷防止パッドに正常品識別コードが印刷された状態を概略的に示す図である。
【００４２】
本発明の第１実施例による冷却脂肪分解施術用凍傷防止パッド１００は、冷却脂肪分解装置（図示せず）を利用した冷却脂肪分解施術に使用される凍傷防止パッドで、図２〜図５に示すように、ベース部材１１０と、防水部材１２０と、一つ以上の縫製部１３０とを含む。以下、図２〜図５を引き続き参照して、各構成要素について詳しく説明する。
【００４３】
ベース部材１１０は、施術部位の肌と直接接触する構成要素で、不織布形態の繊維材質で構成できる。
【００４４】
従って、このような繊維材質のベース部材１１０には、ゲルや液体状態の凍結防止剤を容易に吸収でき、このようにベース部材１１０に吸収された凍結防止剤は、冷却脂肪分解施術が行われる間に肌に留まって肌の表面が零下の温度で凍結することを防止することができる。究極的に、冷却脂肪分解装置（図示せず）のハンドピース（図示せず）に具備された冷却板（例えば、熱電モジュールの冷却部）（図示せず）が肌に接触する場合、冷却板の熱が肌を通じて皮下脂肪に伝達され、ベース部材１１０によって肌の凍傷を防止しつつ皮下脂肪の冷却を行うことができる。
【００４５】
さらに、ベース部材１１０を、図４に示すように、水平方向と垂直方向の両方に対して伸縮可能な材質で構成できる。従って、ハンドピースで発生する陰圧によってハンドピースに肌が吸い込まれる間に、ベース部材１１０は四方に円滑に伸長することができ、ベース部材１１０が破れることを防止することができる。
【００４６】
例えば、ベース部材１１０を、吸水性がありつつも水平方向と垂直方向の両方に対して伸縮可能にするために、繊維集合体及び高分子化合物シートのいずれか一つで構成できる。ここで、繊維集合体は、天然繊維、化学繊維、織物、編物、メッシュ、単繊維、長繊維及び不織布のいずれか一つ以上で構成できる。さらに、ベース部材１１０は、防水部材１２０より大きい延伸率を有することができる。
【００４７】
防水部材１２０は、ベース部材１１０に吸収された凍結防止剤がハンドピース（図示せず）を通じて冷却脂肪分解装置（図示せず）に吸入されることを防止する構成要素で、防水布の形態の樹脂材質で構成でき、また通気孔のない材質で構成できる。このような防水部材１２０は、図２に示すように、ベース部材１１０に重ねて配置できる。
【００４８】
さらに、防水部材１２０を、図４に示すように、水平方向と垂直方向の両方に対して伸縮可能な材質で構成できる。従って、ハンドピースで発生する陰圧によってハンドピースに肌が吸い込まれる間に、ベース部材１１０と共に防水部材１２０も四方に円滑に伸長することができ、防水部材１２０が破れることを防止することができる。もし防水部材１２０が破れた場合、その破れた部分を通じて凍結防止剤がハンドピースを通じて冷却脂肪分解装置に吸入されて、装置の故障原因になり得る。
【００４９】
例えば、ベース部材１１０を、防水性がありつつも水平方向と垂直方向の両方に伸縮可能にするために、ポリウレタン、ポリエチレン（ＰＥ）、ポリプロピレン（ＰＰ）、ポリエステル、ポリエーテルエステル、ポリオレフィン、ポリエーテル、ポリエチレンテレフタレート（ＰＥＴ）、ポリブチレンテレフタレート（ＰＢＴ）、ポリトリメチレンテレフタレート（ＰＴＴ）、シリコン樹脂、エチレン−ビニルアセテート共重合体（ＥＶＡ）及び高分子合成樹脂のいずれか一つ以上で構成できる。
【００５０】
一つ以上の縫製部１３０は、ベース部材１１０と防水部材１２０とが重なった状態で互いを結合させる構成要素で、ミシンなどによって返し縫いされて形成できる。
【００５１】
従って、返し縫いを通じて長い縫製ラインを有することができ、冷却脂肪分解装置（図示せず）のハンドピース（図示せず）を通じて陰圧が形成される過程で、防水部材１２０の中で縫製ラインが配置された部分に陰圧による荷重が集中しても、上述した従来の技術と異なり防水部材１２０の破れを防止することができる。また、返し縫いを通じて防水部材１２０のハンドピース接触面（防水部材の中でハンドピースが接触する外側面）でベース部材１１０の肌接触面（ベース部材の中で肌が接触する面）まで連結されるので、ハンドピースで発生する陰圧によって防水部材１２０がハンドピースに吸い込まれると同時にベース部材１１０も吸い込むことができ、陰圧形成初期に防水部材１２０とベース部材１１０の間に分離されていた上述した従来技術の問題を防止することができる。また、重なった状態で返し縫いが行われる技術構成を有するので、返し縫い過程で防水部材１２０の位置がベース部材１１０から外れることなく、上述した従来技術と異なり防水部材１２０とベース部材１１０間の結合を容易かつ正確に行うことができ、望まない位置に結合されるなどの製品不良を防止することができる。
【００５２】
このような一つ以上の縫製部１３０は、図２及び図３に示すように、縁縫製部１３１と中心縫製部１３２とを含むことができる。縁縫製部１３１は、防水部材１２０の縁で返し縫いされて形成でき、中心縫製部１３２は、防水部材１２０の中心部に返し縫いされて形成できる。特に、中心縫製部１３２は、防水部材１２０の中心部の位置をベース部材１１０に固定する役割と共に、ハンドピースで陰圧が発生する場合、防水部材１２０とベース部材１１０が同時にハンドピースに吸入されるように互いに取り合う役割をすることができる。
【００５３】
例えば、縁縫製部１３１を、図２及び図３に示すように、防水部材１２０の４個の角にそれぞれ返し縫いされて形成される角縫製ライン１３１ａとできる。特に、角縫製ライン１３１ａは、防水部材１２０の角を基準として両辺にその両端がかかる斜線形状を有することができる。即ち、角縫製ライン１３１ａは、防水部材１２０の角部分の外郭ラインと共に三角形状をなすことができる。従って、傾いた一直線形態の縫製ラインが実現されるので、角縫製ライン１３１ａの形成を容易かつ迅速に行うことができる。
【００５４】
さらに、中心縫製部１３２は、図２及び図３に示すように、防水部材１２０の中心部に十字形状の縫製ラインを有することができる。従って、交差した一直線形態の縫製ラインの実現により、中心縫製ラインの形成を容易かつ迅速に行うことができる。
【００５５】
さらに、図５に示すように、防水部材１２０の外側面に正常品識別コード１４０を形成することができる。例えば、正常品識別コード１４０としては、バーコード、ＱＲコード（登録商標）、シリアルナンバーなどを使用できる。
【００５６】
このような正常品識別コード１４０を、図５に示すように、防水部材１２０の中でハンドピースが位置する部分Ｐ１の境界ライン内に形成できる。従って、ハンドピースにスキャナなどの感知部（図示せず）が装着され、冷却脂肪分解装置に制御部（図示せず）などが具備される場合、感知部で感知された正常品識別コード１４０が正常品であるか否かを制御部が判断して正常品である場合のみに冷却脂肪分解装置が動作するようにできる。
【００５７】
以下、図６を参照して、本発明の第２実施例による冷却脂肪分解施術用凍傷防止パッド２００について説明する。
【００５８】
図６は、本発明の第２実施例による冷却脂肪分解施術用凍傷防止パッドを概略的に示す図である。
【００５９】
本発明の第２実施例による冷却脂肪分解施術用凍傷防止パッド２００は、図６に示すように、角縫製ライン２３１の形状を除いては、上述した本発明の第１実施例と同一であるので、以下では、角縫製ライン２３１の形状を主として説明する。
【００６０】
角縫製ライン２３１は、防水部材１２０の角を基準として両辺にその両端がかかる「Ｌ」字形状を有することができる。即ち、角縫製ライン２３１は、防水部材１２０の角部分の外郭ラインと共に四角形状をなすことができる。従って、角縫製ライン２３１を広げた時、上述した本発明の第１実施例で言及した斜線形状の角縫製ライン１３１ａに比べて縫製ラインの長さが長くなって結合力をさらに向上させることができる。
【００６１】
以下、図７を参照して、本発明の第３実施例による冷却脂肪分解施術用凍傷防止パッド３００について説明する。
【００６２】
図７は、本発明の第３実施例による冷却脂肪分解施術用凍傷防止パッドを概略的に示す図である。
【００６３】
本発明の第３実施例による冷却脂肪分解施術用凍傷防止パッド３００は、図７に示すように、角縫製ライン３３１の形状を除いては、上述した本発明の第１実施例と同一であるので、以下では、角縫製ライン３３１の形状を主として説明する。
【００６４】
角縫製ライン３３１は、防水部材１２０の角を基準として両辺にその両端がかかる円弧形状を有することができる。即ち、角縫製ライン３３１は、防水部材１２０の角部分の外郭ラインと共に四分円形状をなすことができる。従って、角縫製ライン３３１を広げた時、上述した本発明の第１実施例で言及した斜線形状の角縫製ライン１３１ａに比べて縫製ラインの長さが長くなり結合力をさらに向上させることができ、上述した本発明の第２実施例で言及した「Ｌ」字形状の角縫製ライン２３１と異なり、略９０度に急激に折れる部分（ノッチ部）がなく、これに及ぶ荷重を効果的に支持することができる。
【００６５】
以下、図８を参照して、本発明の第４実施例による冷却脂肪分解施術用凍傷防止パッド４００について説明する。
【００６６】
図８は、本発明の第４実施例による冷却脂肪分解施術用凍傷防止パッドを概略的に示す図である。
【００６７】
本発明の第４実施例による冷却脂肪分解施術用凍傷防止パッド４００は、図８に示すように、縁縫製部４３１の位置及び形状を除いては、上述した本発明の第１実施例と同一であるので、以下では、縁縫製部４３１の位置及び形状を主として説明する。
【００６８】
縁縫製部４３１を、防水部材１２０の中で相対的に長い両側辺にそれぞれその長さ方向に長く返し縫いされて形成される長辺縫製ライン４３１ａとできる。従って、上述した本発明の第１実施例で言及した４個の角縫製ライン１３１ａに比べて縫製ラインの数が２個に減り、長辺縫製ライン４３１ａの形成をさらに容易かつ迅速に行うことができる。また、長辺縫製ライン４３１ａの長さが上述した本発明の第１実施例で言及した斜線状の角縫製ライン１３１ａに比べてさらに長くなり、結合力をさらに向上させることができる。
【００６９】
以下、図９を参照して、本発明の第５実施例による冷却脂肪分解施術用凍傷防止パッド５００について説明する。
【００７０】
図９は、本発明の第５実施例による冷却脂肪分解施術用凍傷防止パッドを概略的に示す図である。
【００７１】
本発明の第５実施例による冷却脂肪分解施術用凍傷防止パッド５００は、図９に示すように、中心縫製部５３２の形状を除いては、上述した本発明の第１実施例と同一であるので、以下では、中心縫製部５３２の形状を主として説明する。
【００７２】
中心縫製部５３２は、防水部材１２０の中心部に四角形状の縫製ラインを有することができる。従って、上述した本発明の第１実施例で言及した十字形状の縫製ライン１３２に比べて縫製ライン５３２を広げた時に全体長さがより長くなり、結合力をさらに向上させることができる。
【００７３】
以下、図１０を参照して、本発明の第６実施例による冷却脂肪分解施術用凍傷防止パッド６００について説明する。
【００７４】
図１０は、本発明の第６実施例による冷却脂肪分解施術用凍傷防止パッドを概略的に示す図である。
【００７５】
本発明の第６実施例による冷却脂肪分解施術用凍傷防止パッド６００は、図１０に示すように、中心縫製部６３２の形状を除いては、上述した本発明の第１実施例と同一であるので、以下では、中心縫製部６３２の形状を主として説明する。
【００７６】
中心縫製部６３２は、防水部材１２０の中心部に円状の縫製ラインを有することができる。従って、縫製ライン６３２を広げた時、上述した本発明の第１実施例で言及した十字状の縫製ライン１３２に比べて全体長さがさらに長くなり、結合力をさらに向上させることができ、上述した本発明の第５実施例で言及した四角状の縫製ライン５３２と異なり、略９０度に急激に折れる部分（ノッチ部）がなく、これに及ぶ荷重を効果的に支持することができる。
【００７７】
以下、図１１及び図１２を参照して、本発明の第７実施例による冷却脂肪分解施術用凍傷防止パッド７００について説明する。
【００７８】
図１１は、本発明の第７実施例による冷却脂肪分解施術用凍傷防止パッドを概略的に示す斜視図であり、図１２は、図１１の冷却脂肪分解施術用凍傷防止パッドの中で第１及び第２防水パッドが重なる過程を概略的に示す図である。
【００７９】
本発明の第７実施例による冷却脂肪分解施術用凍傷防止パッド７００は、図１１及び図１２に示すように、一つ以上の防水部材７２０が第１及び第２防水部材７２１、７２２からなることを除いては、上述した本発明の第１実施例と同一であるので、以下では、これを主として説明する。
【００８０】
一つ以上の防水部材７２０は、図１１及び図１２に示すように、第１及び第２防水部材７２１、７２２を含むことができる。第１防水部材７２１は、ベース部材１１０に重ねて配置され、防水性と伸縮性を持った樹脂材質で構成でき、第２防水部材７２２は、第１防水部材７２１に重ねて配置され、防水性と伸縮性を持った第１防水部材７２１と同一の樹脂材質からなることができる。例えば、第１及び第２防水部材７２１、７２２は、上述した本発明の第１実施例で言及した防水部材１２０と同一の材質で構成できる。
【００８１】
一つ以上の縫製部１３０は、図１１に示すように、ベース部材１１０と第１防水部材７２１と第２防水部材７２２とを重なった状態で互いに結合するように返し縫いされて形成できる。
【００８２】
さらに、図１２に示すように、第１防水部材７２１には第１通気孔７２１ａを形成することができ、第２防水部材７２２には第２通気孔７２２ａを形成することができる。ここで、第１及び第２通気孔７２１ａ、７２２ａは、ハンドピース（図示せず）で発生する陰圧を肌に伝達する通路の役割をすることができる。また、ベース部材１１０に吸収された凍結防止剤が第１及び第２通気孔７２１ａ、７２２ａを通じてハンドピース（図示せず）に流入されないように、第１及び第２通気孔７２１ａ、７２２ａを互いに重畳しないように配置することができる。
【００８３】
特に、図１２に示すように、第１通気孔７２１ａと第２通気孔７２２ａが重畳しないように、第１及び第２防水部材７２１、７２２には位置セッティング部７５０を形成できる。例えば、位置セッティング部７５０は、図１２に示すように、第１防水部材７２１に形成され、第１防水部材７２１の中心線を基準として一側に形成される第１位置識別ライン７５１と、第２防水部材７２２に形成され、第１防水部材７２１の中心線を基準として他側に配置されるように形成される第２位置識別ライン７５２とを含むことができる。従って、第１位置識別ライン７５１と第２位置識別ライン７５２とが互いに連結されるように第１及び第２防水部材７２１、７２２を重ねる場合、第１及び第２通気孔７２１ａ、７２２ａの重畳を防止することができる。
【００８４】
さらに、第１及び第２位置識別ライン７５１、７５２は、互いに連結される場合、冷却脂肪分解装置のハンドピース（図示せず）が配置される部分Ｐ２とすることもできる。
【００８５】
以上の詳細な説明は本発明を例示するものである。また、前述した内容は本発明の好ましい実施形態を表して説明するものに過ぎず、本発明は多様な他の組み合わせ、変更及び環境で使用することができる。即ち、本明細書に開示された発明の概念の範囲、前述した開示内容と均等な範囲及び／または当業界の技術または知識の範囲内で変更または修正が可能である。前述した実施例は、本発明を実施するにあたって最善の状態を説明するためのものであり、本発明のような他の発明を利用するのに当業界に知られた他の状態での実施、そして発明の具体的な適用分野及び用途で要求される多様な変更も可能である。従って、以上の発明の詳細な説明は、開示された実施状態で本発明を制限しようとする意図ではない。また、添付の請求の範囲は他の実施状態も含むと解釈されなければならない。
［発明の実施のための形態］
発明の実施のための多様な形態が発明の実施のための最善の形態で説明された。
【産業上の利用可能性】
【００８６】
本発明は、冷却脂肪分解施術時凍傷を防止するためのパッドに関するもので、冷却脂肪分解装置に適用可能である。
【図１】
0006984005.tif 000002
【図２】
0006984005.tif 000003
【図３】
0006984005.tif 000004
【図４】
0006984005.tif 000005
【図５】
0006984005.tif 000006
【図６】
0006984005.tif 000007
【図７】
0006984005.tif 000008
【図８】
0006984005.tif 000009
【図９】
0006984005.tif 000010
【図１０】
0006984005.tif 000011
【図１１】
0006984005.tif 000012
【図１２】
0006984005.tif 000013